(57)【要約】      （修正有）【課題】ＯＬＥＤの光量ムラの抑制と発光デューティの増大とを両立させて高画質と長寿命とを実現する光書込み装置及び画像形成装置を提供する。【解決手段】２系統の電源配線ＶｃＡ、ＶｃＢにそれぞれ接続された２系統の駆動回路４０４Ａ、４０４ＢからＯＬＥＤ４０５に駆動電流を供給する。１の主走査期間においては、一方の系統の駆動回路４０４からのみ駆動電流を供給する。このため、他方の系統の電源配線Ｖｃからは駆動電流が供給されず、電流が流れないので、電圧降下を発生させることなく、当該系統の駆動回路４０４に輝度信号を書き込むことができる。引き続く主走査期間においては、駆動電流を供給する系統と、輝度信号を書き込む系統とを交互に切り替える。【選択図】図６
2015212023.tif 000002
【特許請求の範囲】
【請求項１】
感光体を露光して主走査期間毎に１ラインずつ静電潜像を形成する光書込み装置であって、
ライン状に配置された複数の電流駆動型発光素子と、
前記複数の発光素子に沿って延伸し、定電圧源に接続される第１及び第２の電源線と、
前記発光素子毎に発光量を指示する指示電位を出力する指示回路と、
前記指示回路が出力した指示電位を受け付けて保持する第１の保持回路を有すると共に、前記第１の電源線に接続され、当該第１の電源線との接続点における電位と、前記第１の保持回路が保持する指示電位との電位差に応じて、前記発光素子に駆動電流を供給する、前記発光素子毎に設けられた第１の駆動回路と、
前記指示回路が出力した指示電位を受け付けて保持する第２の保持回路を有すると共に、前記第２の電源線に接続され、当該第２の電源線との接続点における電位と、前記第２の保持回路が保持する指示電位との電位差に応じて、前記発光素子に駆動電流を供給する、前記発光素子毎に設けられた第２の駆動回路と、
同一の発光素子に対して設けられた前記第１、第２の駆動回路が、主走査期間毎に交互に、一方が前記駆動電流を供給しているときに、他方が前記指示電位を受け付けるように切り替える切替え制御手段と、を備える
ことを特徴とする光書込み装置。
【請求項２】
前記第１、第２の電源線は、共通の給電点において前記定電圧源に接続されており、
何れの電源線も、給電点について一方の側のみに前記駆動回路が接続されている
ことを特徴とする請求項１に記載の光書込み装置。
【請求項３】
前記切替え制御手段は、前記指示回路から前記保持回路に至る回路上と、前記駆動回路から前記発光素子に至る回路上と、にそれぞれ切替えスイッチを有する
ことを特徴とする請求項１又は２に記載の光書込み装置。
【請求項４】
前記切替え制御手段は、前記指示回路から前記保持回路に至る回路上と、前記保持回路から前記駆動回路に至る回路上と、にそれぞれ切替えスイッチを有する
ことを特徴とする請求項１又は２に記載の光書込み装置。
【請求項５】
前記駆動回路毎の特性バラツキに応じて前記指示電圧を補正する補正手段を備える
ことを特徴とする請求項１から４の何れかに記載の光書込み装置。
【請求項６】
前記発光素子はＯＬＥＤである
ことを特徴とする請求項１から５の何れかに記載の光書込み装置。
【請求項７】
前記駆動回路と前記切替えスイッチとが何れも薄膜トランジスターで構成される
こと特徴とする請求項１から６の何れかに記載の光書込み装置。
【請求項８】
請求項１から７の何れかに記載の光書込み装置を備える
ことを特徴とする画像形成装置。
【発明の詳細な説明】
【技術分野】
【０００１】
本発明は、光書込み装置及び画像形成装置に関し、有機ＬＥＤを用いた光書込み装置における光量ムラを防止する技術に関する。
【背景技術】
【０００２】
近年、画像形成装置の小型化と低コスト化を目的として、有機ＬＥＤ（OLED: Organic Light Emitting Diode）を用いた光書込み装置（PH: Print Head）が提案されている。ＯＬＥＤは、ＴＦＴ（Thin Film Transistor）基板上で主走査方向に沿ってライン状に配置され、同じく主走査方向に沿って設けられた電源配線によって電気的に並列に接続される（図１０）。
【０００３】
ＯＬＥＤは、有機ＥＬ（Organic Electro-Luminescence）素子とも呼ばれており、電流駆動型の発光素子であって、電源配線を経由して駆動電流を供給すると、配線抵抗により電源配線に沿って電圧降下が発生する。
一方、ＯＬＥＤの駆動電流を生成する駆動回路は、ＯＬＥＤ毎に隣接配置されており、電源配線との接続点の電位を基準として駆動電流を生成する。このため、電源配線の電圧降下は基準電位の低下を招き、ＯＬＥＤの駆動電流量を変動させるので、発光輝度が変動して画像ムラを発生させる（図１１）。
【０００４】
このような問題に対して、例えば、電源配線の低インピーダンス化が提案されている（特許文献２）。このようにすれば、駆動電流による電圧降下を抑制することができるので、画像ムラを改善することができる。
【先行技術文献】
【特許文献】
【０００５】
【特許文献１】特開２００５−１４４６８５号公報
【特許文献２】特開２００５−１４４６８６号公報
【特許文献３】特開２００５−１４４６８７号公報
【特許文献４】特開２０１０−０７６１８４号公報
【発明の概要】
【発明が解決しようとする課題】
【０００６】
しかしながら、上記従来技術では、電源配線を低インピーダンス化するために、ＴＦＴ基板を封止する封止ガラス上にも電源配線を形成し、更に、ＴＦＴ基板上の電源配線と封止ガラス上の電源配線とを駆動回路の各給電点において接続部材により電気的に接続する。このため、ユニットコストが高くなる、という問題がある。また、形成される補助電源配線は薄膜配線であるため、インピーダンス低減に限界がある。
【０００７】
また、別の従来技術では、１ライン周期をサンプル期間とホールド期間に分割し、サンプル期間にはＯＬＥＤを消灯して、ＤＡＣ（Digital to Analogue Converter）回路が出力する輝度信号を、一旦、ＯＬＥＤ毎のサンプルホールド回路（以下、「Ｓ／Ｈ回路」という。）に保持させる。そして、ホールド期間には、Ｓ／Ｈ回路に保持した輝度信号に応じた駆動電流を各ＯＬＥＤに供給して発光させる。
【０００８】
このようにすれば、サンプル期間には、駆動電流が流れず電圧降下が発生しないので、輝度信号を正しくサンプルして、電圧降下に起因する輝度ムラを防止することができる。
しかしながら、所謂ローリング駆動では、対応するＳ／Ｈ回路に輝度信号を入力させるときのみ当該ＯＬＥＤを消灯するのに対して、当該従来技術では、多数のＳ／Ｈ回路に順次、輝度信号を入力するサンプル期間中、ＯＬＥＤを消灯し、ホールド期間にしか発光させない。このため、主走査期間（Ｈｓｙｎｃ）に占める発光期間の割合である発光デューティが小さく、発光期間が短くなる。
【０００９】
短い発光期間で十分な露光量を達成するために、ＯＬＥＤの駆動電流量を増加させて発光量を増大させると、ＯＬＥＤの短寿命化を招く。
本発明は、上述のような問題に鑑みて為されたものであって、ＯＬＥＤの光量ムラの抑制と発光デューティの増大とを両立させて高画質と長寿命とを実現する光書込み装置及び画像形成装置を提供することを目的とする。
【課題を解決するための手段】
【００１０】
上記目的を達成するため、本発明に係る光書込み装置は、感光体を露光して主走査期間毎に１ラインずつ静電潜像を形成する光書込み装置であって、ライン状に配置された複数の電流駆動型発光素子と、前記複数の発光素子に沿って延伸し、定電圧源に接続される第１及び第２の電源線と、前記発光素子毎に発光量を指示する指示電位を出力する指示回路と、前記指示回路が出力した指示電位を受け付けて保持する第１の保持回路を有すると共に、前記第１の電源線に接続され、当該第１の電源線との接続点における電位と、前記第１の保持回路が保持する指示電位との電位差に応じて、前記発光素子に駆動電流を供給する、前記発光素子毎に設けられた第１の駆動回路と、前記指示回路が出力した指示電位を受け付けて保持する第２の保持回路を有すると共に、前記第２の電源線に接続され、当該第２の電源線との接続点における電位と、前記第２の保持回路が保持する指示電位との電位差に応じて、前記発光素子に駆動電流を供給する、前記発光素子毎に設けられた第２の駆動回路と、同一の発光素子に対して設けられた前記第１、第２の駆動回路が、主走査期間毎に交互に、一方が前記駆動電流を供給しているときに、他方が前記指示電位を受け付けるように切り替える切替え制御手段と、を備えることを特徴とする。
【発明の効果】
【００１１】
このようにすれば、指示電位を受け付ける駆動回路は駆動電流を供給しないので、当該駆動回路に接続された電源線には電圧降下が発生しない。従って、発光素子の発光ムラを防止して高画質を実現することができる。また、駆動電流を供給する駆動回路は、当該主走査期間中には新たな指示電位を受け付けないので、発光デューティを最大化することができ、発光素子の長寿命化を図ることができる。
【００１２】
この場合において、前記第１、第２の電源線は、共通の給電点において前記定電圧源に接続されており、何れの電源線も、給電点について一方の側のみに前記駆動回路が接続されていれば、駆動電流が流れないときの基準電位を第１、第２の電源線の間で揃えることができるので、指示電位と基準電位との電位差を安定化して輝度ムラやノイズを抑制することができる。また、電源数を削減することができるという意味でコスト低減を図ることができる。
【００１３】
また、前記切替え制御手段は、前記指示回路から前記保持回路に至る回路上と、前記駆動回路から前記発光素子に至る回路上と、にそれぞれ切替えスイッチを有しても良い。このようにすれば、電源線から駆動回路に至る回路上に切替えスイッチを配する場合よりも駆動電流量のバラツキを抑制することができる。また、駆動回路から切替えスイッチに至る回路上に発光素子を配する場合よりも製造が容易になる、
また、前記切替え制御手段は、前記指示回路から前記保持回路に至る回路上と、前記保持回路から前記駆動回路に至る回路上と、にそれぞれ切替えスイッチを有しても良い。このようにすれば、規制容量を低減して発光素子の発光応答特性を向上させることができるので、静電潜像の形成に要する時間を短縮することができる。また、回路を容易に製造することができる。
【００１４】
また、前記駆動回路毎の特性バラツキに応じて前記指示電圧を補正する補正手段を備えれば、更に高画質化を図ることができる。
なお、前記発光素子はＯＬＥＤとしても良く、前記駆動回路と前記切替えスイッチとが何れも薄膜トランジスターで構成されれば更に好適である。
本発明に係る画像形成装置は本発明に係る光書込み装置を備えることを特徴とする。これによって、上述のような効果を得ることができる。
【図面の簡単な説明】
【００１５】
【図１】本発明の実施の形態に係る画像形成装置の主要な構成を示す図である。
【図２】光書込み装置１２３による光書込み動作を説明する断面図である。
【図３】ＯＬＥＤパネル２００の概略平面図であり、併せてＡ−Ａ´線における断面図とＣ−Ｃ´線における断面図も示されている。
【図４】ＴＦＴ基板３００上の主要な回路構成を示すブロック図である。
【図５】シフトレジスター４０１の主要な構成を示す図である。
【図６】駆動回路４０４の主要な構成を示す回路図である。
【図７】１つの発光ブロックの露光動作を例示するタイミングチャートである。
【図８】ドット駆動回路４０３の露光動作を例示する回路図である。
【図９】本発明の変形例に係るドット駆動回路４０３の主要な構成を示す回路図である。
【図１０】従来技術に係る光書込み装置の構成を例示する図である。
【図１１】電源配線における電圧降下を説明する図である。
【発明を実施するための形態】
【００１６】
以下、本発明に係る光書込み装置及び画像形成装置の実施の形態について、図面を参照しながら説明する。
［１］画像形成装置の構成
まず、本実施の形態に係る画像形成装置の構成について説明する。
［１−１］画像形成装置の構成
まず、本実施の形態に係る画像形成装置の構成について説明する。
【００１７】
図１は、本実施の形態に係る画像形成装置の主要な構成を示す図である。図１に示されるように、画像形成装置１は、所謂タンデム型のカラー複合機（MFP: Multi-Function Peripheral）であって、原稿読取部１００、画像形成部１１０及び給紙部１３０を備えている。原稿読取部１００は、原稿台トレイ１０１に載置された原稿を自動原稿搬送装置（ADF: Automatic Document Feeder）１０２にて搬送しながら、光学的に読み取って画像データを生成する。画像データは後述の制御部１１２に記憶される。
【００１８】
画像形成部１１０は作像部１１１Ｙ〜１１１Ｋ、制御部１１２、中間転写ベルト１１３、２次転写ローラー対１１４、定着装置１１５、排紙ローラー対１１６、排紙トレイ１１７、クリーニングブレード１１８及びタイミングローラー対１１９を備えている。また、画像形成部１１０にはＹ（イエロー）、Ｍ（マゼンタ）、Ｃ（シアン）、Ｋ（ブラック）各色のトナーを供給するトナーカートリッジ１２０Ｙ〜１２０Ｋが装着されている。
【００１９】
作像部１１１Ｙ〜１１１Ｋは、それぞれトナーカートリッジ１２０Ｙ〜１２０Ｋからトナーの供給を受けて、制御部１１２の制御の下、ＹＭＣＫ各色のトナー像を形成する。例えば、作像部１１１Ｙは、感光体ドラム１２１、帯電装置１２２、光書込み装置１２３、現像装置１２４及び清掃装置１２５を備えている。制御部１１２の制御の下、帯電装置１２２は感光体ドラム１２１の外周面を一様に帯電させる。
【００２０】
制御部１１２は、受け付けたジョブに含まれるプリント用の画像データに基づいて、内蔵するＡＳＩＣ（Application Specific Integrated Circuit。以下、「輝度信号出力部」という。）により、光書込み装置１２３を発光させるためのデジタル輝度信号を生成する。光書込み装置は、後述のように、主走査方向にライン状に配列された発光素子を備えており、制御部１１２が生成したデジタル輝度信号に従って各発光素子を発光させることにより、感光体ドラム１２１の外周面に光書込みを行い、静電潜像を形成する。
【００２１】
現像装置１２４は、感光体ドラム１２１の外周面にトナーを供給して、静電潜像を現像（顕像化）する。１次転写ローラー１２６には、１次転写電圧が印加されており、静電吸着により、感光体ドラム１２１の外周面上に担持されたトナー像を中間転写ベルト１１３に静電転写（１次転写）する。その後、清掃装置１２５は、クリーニングブレードにて感光体ドラム１２１の外周面上に残留するトナーを掻き取り、更に、除電ランプにより感光体ドラム１２１の外周面を照明することによって電荷を除去する。
【００２２】
同様にして、作像部１１１Ｍ〜１１１ＫもまたＭＣＫ各色のトナー像を形成する。これらのトナー像は互いに重なり合うように中間転写ベルト１１３上に順次、１次転写されるカラートナー像が形成される。中間転写ベルト１１３は無端状の回転体であって、矢印Ａ方向に回転走行し、１次転写されたトナー像を２次転写ローラー対１１４まで搬送する。
給紙部１３０は、何れも記録シートＳをシートサイズ毎に格納する給紙カセット１３１を備え、画像形成部１１０に記録シートＳを１枚ずつ供給する。供給された記録シートＳは、中間転写ベルト１１３がトナー像を搬送するのに並行して搬出され、タイミングローラー対１１９を経由して、２次転写ローラー対１１４まで搬送される。タイミングローラー対１１９は、トナー像が２次転写ローラー対１１４に到達するタイミングに合わせて記録シートＳを搬送する。
【００２３】
２次転写ローラー対１１４は、２次転写電圧を印加された１対のローラーからなっており、このローラー対は互いに圧接して２次転写ニップ部を形成している。この転写ニップ部において中間転写ベルト１１３上のトナー像が記録シートＳ上に静電転写（２次転写）される。トナー像を転写された記録シートＳは定着装置１１５へ搬送される。また、２次転写後、中間転写ベルト１１３上に残った残留トナーは、更に矢印Ａ方向に搬送された後、クリーニングブレード１１８によって掻き取られ、廃棄される。
【００２４】
定着装置１１５はトナー像を加熱、溶融して、記録シートＳに圧着する。トナー像を融着された記録シートＳは排紙ローラー対１１６によって排紙トレイ１１７上に排出される。
なお、制御部１１２は、上記並びに不図示の操作パネルを含む画像形成装置１の動作を制御する。また、制御部１１２は、パソコン（PC: Personal Computer）など、他の装置との間で画像データを送受信したり、印刷ジョブを受け付けたりもする。また、制御部１１２は、ファクシミリモデムを備えており、ファクシミリ回線を介して他のファクシミリ装置と画像データを送受信する。
【００２５】
上記の他、トナー像を転写するに当たっては、転写ローラーに代えて転写チャージャーや転写ベルトを用いても良い。また、中間転写ベルト１１３上の残留トナーを除去する際に、クリーニングブレード１１８に代えて、クリーニングブラシやクリーニングローラー等を用いても良い。
［２］光書込み装置１２３の構成
次に、光書込み装置１２３の構成について説明する。
【００２６】
図２は、光書込み装置１２３による光書込み動作を説明する断面図である。図２に示されるように、光書込み装置１２３は、ＯＬＥＤパネル２００とロッドレンズアレイ（SLA: Selfoc Lens Array）２０２をホルダー２０３に収容したものであって、ＯＬＥＤパネル２００上には多数の発光点（ドット）であるＯＬＥＤ２０１が主走査方向に沿ってライン状に実装されている。ＯＬＥＤ２０１はそれぞれ光ビームＬを出射し、ロッドレンズアレイ２０２は感光体ドラム１２１の外周面上に光ビームＬを集光する。
【００２７】
図３は、ＯＬＥＤパネル２００の概略平面図であり、併せてＡ−Ａ´線における断面図とＣ−Ｃ´線における断面図も示されている。また、概略平面図部分は後述する封止板を取り外した状態を示している。
図３に示されるように、ＯＬＥＤパネル２００は、ＴＦＴ基板３００、封止板３０１及びソースＩＣ３０２等を備えている。ＴＦＴ基板３００には多数のＯＬＥＤが主走査方向に沿ってライン状に配列されている。また、ＴＦＴ基板３００のＯＬＥＤが配設された基板面は封止領域となっており、スペーサー枠体３０３を挟んで封止板３０１が取着されている。
【００２８】
これによって、封止領域が、外気に触れないように乾燥窒素等を封入した状態で、封止される。なお、吸湿のため、封止領域内に吸湿剤を併せて封入しても良い。なお、封止板３０１は、例えば、封止ガラスであっても良いし、ガラス以外の材料からなっていても良い。
ＴＦＴ基板３００の封止領域外にはソースＩＣ３０２が実装されている。制御部１１２の輝度信号出力部３１０はフレキシブルワイヤー３１１を介してソースＩＣ３０２にデジタル輝度信号を入力する。ソースＩＣ３０２はデジタル輝度信号をアナログ輝度信号（以下、単に「輝度信号」という。）に変換してＯＬＥＤ毎の駆動回路に入力する。駆動回路は輝度信号に応じてＯＬＥＤの駆動電流を生成する。なお、本実施の形態において、輝度信号は電圧信号である。
【００２９】
なお、本実施の形態において、ＴＦＴ基板３００には、１５，０００個のＯＬＥＤがライン状に配列されており、１００個ずつ１５０の発光ブロックに分割されている。
図４は、ＴＦＴ基板３００上の主要な回路構成を示すブロック図である。図４に示されるように、ＴＦＴ基板３００上にはドット回路アレイ４００が形成されている。ドット回路アレイ４００は、発光ブロック毎のシフトレジスター４０１とＯＬＥＤ４０５毎のドット回路４０２とからなっており、ソースＩＣ３０２に内蔵されたＳＥＬ回路、φＳＨ回路及びＤＡＣ回路から制御信号の入力を受け付ける。
【００３０】
シフトレジスター４０１は、発光ブロック毎に設けられており、輝度信号を書き込むべきドット回路を順次指定する。シフトレジスター４０１には、ドット回路４０２の動作を制御するためのロジック回路が併設されている。図５は、シフトレジスター４０１の主要な構成を示す図である。シフトレジスター４０１は、ソースＩＣのＳＥＬ回路とφＳＨ回路からそれぞれＳＥＬ信号とφＳＨ信号とを入力されると、ＮＯＴ素子５０２にてＳＥＬ信号を反転した／ＳＥＬ信号を生成する。
【００３１】
また、ＳＥＬ信号とφＳＨ信号からＯＲ素子５０１にてφA信号が生成され、／ＳＥＬ信号とφＳＨ信号からＯＲ素子５０３にてφB信号が生成される。後述のように、ＳＥＬ信号と／ＳＥＬ信号は、ＯＬＥＤ４０５に駆動電流を供給する電源線の選択に用いられる。また、φA信号とφB信号は、輝度信号を書き込むか否かの選択に用いられる。
ドット回路４０２は、ＯＬＥＤ４０５とドット駆動回路４０３とを備え、ドット駆動回路４０２は、Ａ、Ｂ２系統の駆動回路４０４Ａ、４０４Ｂからなっている。駆動回路４０４Ａ、４０４Ｂは、それぞれ定電圧源ＶｃからのＡ、Ｂ２系統の電源線ＶｃＡ、ＶｃＢを介して電力供給を受ける。電源線ＶｃＡ、ＶｃＢはドット回路アレイ４００外のＤＡＣ回路（ソースＩＣ３０２）の近傍で分岐し、分岐後は駆動回路４０４Ａ、４０４Ｂにそれぞれ配線され、合流することは無い。
【００３２】
駆動回路４０４Ａ、４０４Ｂのうち、ＳＥＬ信号と／ＳＥＬ信号とによって指定された回路が、ＤＡＣ回路からの輝度信号に応じた量の駆動電流をＯＬＥＤ４０５に供給する。
なお、本実施の形態において、ＴＦＴ基板３００は次の手順により形成される。まず、ガラス基板上にＯＬＥＤ４０５を除く、ドット回路アレイ４００が形成される。次に、ＯＬＥＤ４０５が形成される。その後、ソースＩＣ３０２が実装されることによって、ＴＦＴ基板３００が完成する。
【００３３】
［３］駆動回路４０４の構成
次に、駆動回路４０４の構成について説明する。なお、駆動回路４０４はＡ、Ｂ両系統で構成が共通するので、符号から「Ａ」や「Ｂ」を省く。
図６は、駆動回路４０４の主要な構成を示す回路図である。図６に示されるように、駆動回路４０４は、切替えスイッチ６０１、６０４、キャパシター６０２及びＴＦＴ６０４を備えている。本実施の形態において、切替えスイッチ６０１、６０４は何れもＴＦＴである。
【００３４】
キャパシター６０２と切替えスイッチ６０１は、Ｓ／Ｈ回路部として機能し、ＤＡＣ回路が出力した輝度信号と定電圧源Ｖｃとの電位差を保持する。当該信号線からキャパシター６０２に至る配線上に配された切替えスイッチ６０１が、シフトレジスター４０１からの制御信号φA、φBによって切り換えられることによって選択されたキャパシター６０２にのみ輝度信号が入力され、保持される。
【００３５】
なお、本実施の形態においては、ＤＡＣ回路から駆動回路４０４に至る信号線は、Ａ、Ｂ両系統間で共用されているが、ＤＡＣ回路からの信号線をＡ、Ｂ２系統で別個に設けても良い。
ＴＦＴ６０３は、キャパシター６０２が保持する輝度信号がソース−ドレイン間に印加されることによって、輝度信号に応じた駆動電流をＯＬＥＤ４０５に供給する。
【００３６】
切替えスイッチ６０４は、ＴＦＴ６０３のドレイン端子とＯＬＥＤ４０５との間に配されている。切替えスイッチ６０４は、駆動電流制御部として機能し、Ａ、Ｂ２系統のうち、シフトレジスター４０１が選択した系統の駆動回路４０４のみからＯＬＥＤ４０５に駆動電流が供給される。
なお、切替えスイッチ６０４を電源線ＶｃからＴＦＴ６０３に至る回路上に配すると、切替えスイッチ６０４の通電時特性のバラツキによってＴＦＴ６０３のゲート電圧Ｖｇが変動するため、駆動電流量の精度が低下するおそれがある。
【００３７】
また、ＯＬＥＤパネル２００を製造する場合には、まず、ガラス基板上にＴＦＴを形成した後、その上部にＯＬＥＤを形成する必要がある。このため、切替えスイッチ６０４をＯＬＥＤ４０５のカソード側に配置すると、ＴＦＴ６０３から切替えスイッチ６０４に至る回路上にＯＬＥＤ４０５が配されることになる。
このため、ＴＦＴ６０３の上部にＯＬＥＤ４０５を形成した後、更に、ＯＬＥＤ４０５の上部に切替えスイッチ６０４を形成する等しなければならない。従って、ＯＬＥＤ４０５と切替えスイッチ６０４とを接続するために別途、接続工程を追加する必要が生じるので、設計、製造が困難になる。
【００３８】
一方、本実施の形態のように、ＴＦＴ６０３からＯＬＥＤ４０５に至る回路上に切替えスイッチ６０４を配すれば、
（ａ）切替えスイッチ６０４の通電時特性のバラツキに起因して発生する駆動電流量のバラツキを抑制することができると共に、
（ｂ）回路実現が容易になる、
というメリットがある。
【００３９】
［４］光書込み装置１２３の動作
次に、光書込み装置１２３の動作について説明する。なお、何れの発光ブロックも同様に動作するので、以下においては発光ブロック毎の動作について説明する。
図７は、１つの発光ブロックの露光動作を例示するタイミングチャートである。発光ブロックは感光体ドラム１２１の外周面を行単位で露光し、図７においては、そのうちｍ行目からｍ＋２行目までの露光動作が示されている。
【００４０】
図７において、φＳＨ信号は、１主走査期間（Ｈｓｙｎｃ）中に、１つの発光ブロックを構成する１００個のＯＬＥＤ４０５を順次、選択できるようにＨ状態とＬ状態とを１００回繰り返す。
ＳＥＬ信号は、１主走査期間中にＨ状態とＬ状態との何れかを保持し、Ｂ系統の切替えスイッチ６０４Ｂのオンオフを制御する。ＳＥＬ信号がＨ状態では切替えスイッチ６０４Ｂがオンされ、Ｂ系統の駆動回路４０４Ｂによって駆動電流がＯＬＥＤ４０５に供給される。ＳＥＬ信号がＬ状態のときには、切替えスイッチ６０４Ｂがオフされ、Ｂ系統から駆動電流は供給されない。
【００４１】
／ＳＥＬ信号は、ＳＥＬ信号を反転した信号であって、Ａ系統の切替えスイッチ６０４Ａのオンオフを制御する。／ＳＥＬ信号がＨ状態では切替えスイッチ６０４Ａがオンされ、駆動回路４０４Ａによって駆動電流がＯＬＥＤ４０５に供給される。／ＳＥＬ信号がＬ状態のときには、切替えスイッチ６０４Ａがオフされ、Ａ系統から駆動電流は供給されない。
【００４２】
φA（ｎ）信号は、それぞれｎ番目（ｎ＝１〜１００）のドット駆動回路４０３のＡ系統の駆動回路４０４Ａが備える切替えスイッチ６０１Ａを制御する。φA（ｎ）がＨ状態では、切替えスイッチ６０１Ａがオンされ、キャパシター６０２Ａに輝度信号が書き込まれる。φA（ｎ）がＬ状態では、切替えスイッチ６０１Ａがオフされ、キャパシター６０２Ａへの輝度信号の書き込みが禁止される。
【００４３】
同様に、φB（ｎ）信号は、それぞれｎ番目（ｎ＝１〜１００）のドット駆動回路４０３のＢ系統の駆動回路４０４Ｂが備える切替えスイッチ６０１Ｂを制御する。φB（ｎ）がＨ状態では、切替えスイッチ６０１Ｂがオンされ、キャパシター６０２Ｂに輝度信号が書き込まれる。φB（ｎ）がＬ状態では、切替えスイッチ６０１Ｂがオフされ、キャパシター６０２Ｂへの輝度信号の書き込みが禁止される。
【００４４】
ｍ行目の露光を行う主走査期間には、例えば、Ｈ状態のＳＥＬ信号が入力される。Ａ系統が書き込み期間に、Ｂ系統が駆動期間に指定され、φＳＨ信号がＨ状態になるたびに、順次、ｎ番目のＡ系統のキャパシター６０２Ａに輝度信号が書き込まれ、保持される。
この場合において、図８（ａ）に示されるように、Ａ系統の駆動回路４０４ＡはＯＬＥＤ４０５に駆動電流を供給しないので、Ａ系統の電源線ＶｃＡには電流が流れず、ｎ番目の駆動回路４０４Ａと電源線ＶｃＡとの接続点における電位ＶｃＡ（ｎ）は低下しない。そのため、接続点電位ＶｃＡ（ｎ）は定電圧Ｖｃに略等しくなるので、キャパシター６０２Ａには、定電圧Ｖｃと輝度信号Ｖｄａｃ（ｍ）との電位差が精度良く書き込まれることになる。
【００４５】
一方、Ｂ系統の駆動回路４０４Ｂは、上と同様にしてｍ−１行目の主走査期間にキャパシター６０２Ｂに書き込まれた電位差に応じた駆動電流をＯＬＥＤ４０５に供給する。すると、電源線ＶｃＢに電流がながれて接続点電位接続点電位ＶｃＢ（ｎ）が降下する。
しかしながら、切替えスイッチ６０１Ｂがオフされているので、キャパシター６０２Ｂの端子間の電位差は変動することなく維持され、ゲート電圧ＶｇＢとしてＴＦＴ６０４Ｂに印可される。このようにすれば、ＴＦＴ６０３Ｂのゲート電圧ＶｇＢは接続点電位ＶｃＢ（ｎ）の電圧降下の影響を受けないので、電圧降下に起因する輝度ムラの発生を免れる。
【００４６】
次に、ｍ＋１行目の露光を行う主走査期間には、ＳＥＬ信号がＬ状態となり、Ａ系統が書き込み期間から駆動期間に、Ｂ系統が駆動期間から書き込み期間に切り替わる。すると、図８（ｂ）に示されるように、Ａ系統の駆動回路４０４Ａは接続点電位ＶｃＡ（ｎ）の電圧降下の影響を受けることなく駆動電流をＯＬＥＤ４０５に供給する。また、Ｂ系統の駆動回路４０４Ｂは、接続点電位ＶｃＢ（ｎ）が低下しないので、キャパシター６０２Ｂに定電圧Ｖｃと輝度信号Ｖｄａｃ（ｍ−１）との電位差が精度良く書き込まれる。
【００４７】
ｍ＋２行目の露光を行う主走査期間以降についても、上と同様の動作が交互に繰り返される。このようにして、印刷画像全体の露光が完了する。
［４］変形例
以上、本発明を実施の形態に基づいて説明してきたが、本発明が上述の実施の形態に限定されないのは勿論であり、以下のような変形例を実施することができる。
【００４８】
（１）上記実施の形態においては、ＴＦＴ６０３からＯＬＥＤ４０５に至る回路上に切替えスイッチ６０４を配する場合を例にとって説明したが、本発明がこれに限定されないのは言うまでも無く、これに代えて次のようにしても良い。
図９は、本変形例に係る駆動回路４０４の主要な構成を示す回路図である。図９に示されるように、本変形例においては、切替えスイッチ６０４がキャパシター６０２からＴＦＴ６０３のゲート電極に至る回路上に配されている。このようにすれば、上記実施の形態と同じ制御信号を用いて、駆動回路４０４に同じ動作を実行させることができる。
【００４９】
また、ＴＦＴ６０３のドレイン電極側に発生し得る寄生容量や素子抵抗といった負荷が低減されるので、発光応答性を向上させることができる。従って、コントラストやＭＴＦ（Modulation Transfer Function）といった画像品位を向上させることができる。
（２）上記実施の形態においては、シフトレジスター４０１を介して切替えスイッチ６０４を制御する場合について説明したが、本発明がこれに限定されないのは言うまでも無く、例えば、ソースＩＣ３０２のようにドット回路アレイ４００の外部から直接制御しても良い。
【００５０】
（３）上記実施の形態においては、制御部１１２が、受け付けたジョブに含まれるプリント用の画像データに基づいて、光書込み装置１２３を発光させるためのデジタル輝度信号を生成する場合を例にとって説明したが、本発明がこれに限定されないのは言うまでも無く、これに代えて次のようにしても良い。
すなわち、駆動回路４０４を構成するＴＦＴ６０３には特性バラツキがあり、同じゲート電圧を印加しても、駆動電流にバラツキが生じることがある。このようなバラツキを予め検査しておき、ＴＦＴ６０３毎にゲート電流を調整すれば、ＯＬＥＤ４０５に所望の駆動電流を供給させることができる。
【００５１】
このため、制御部１１２は、検査によって得られたバラツキデータを記憶しておき、当該バラツキデータに応じて輝度信号出力部３１０にデジタル輝度信号を調整させれば良い。具体的には、同じゲート電圧に対して供給される駆動電流が少ないＴＦＴ６０３に対しては輝度を高めにしたデジタル輝度信号を出力し、駆動電流が多いＴＦＴ６０３には輝度を低めにしたデジタル輝度信号を出力する。
【００５２】
このようにすれば、ＴＦＴ６０３の特性バラツキによらず高い画質を実現することができる。
（４）上記実施の形態においては、タンデム型のカラー複合機を例にとって説明したが、本発明がこれに限定されないのは言うまでも無く、タンデム型以外のカラー機であっても良いし、モノクロ機であっても良い。また、プリンタ装置やスキャナーを備えた複写装置、更に通信機能を備えたファクシミリ装置に本発明を適用しても同様の効果を得ることができる。
【産業上の利用可能性】
【００５３】
本発明に係る光書込み装置及び画像形成装置は、有機ＬＥＤを用いた光書込み装置における光量ムラを防止する装置として有用である。
【符号の説明】
【００５４】
１………………………画像形成装置
１２３…………………光書込み装置
２００…………………ＯＬＥＤパネル
３００…………………ＴＦＴ基板
３０２…………………ソースＩＣ
４００…………………ドット回路アレイ
４０５…………………ＯＬＥＤ
４０４Ａ、４０４Ｂ…駆動回路
ＶｃＡ、ＶｃＢ………電源線
６０１、６０４………切替えスイッチ
６０２…………………キャパシター
６０４…………………ＴＦＴ
【図１】
2015212023.tif 000003
【図２】
2015212023.tif 000004
【図３】
2015212023.tif 000005
【図４】
2015212023.tif 000006
【図５】
2015212023.tif 000007
【図６】
2015212023.tif 000008
【図７】
2015212023.tif 000009
【図８】
2015212023.tif 000010
【図９】
2015212023.tif 000011
【図１０】
2015212023.tif 000012
【図１１】
2015212023.tif 000013